(57)【要約】      （修正有）【課題】処理を行う流体物質内における微生物キャリアの位置、分布を制御して、処理の効果を高め、かつコストを節減できる流体物質の微生物処理装置を提供する。【解決手段】少なくとも一以上の微生物キャリア１５と該微生物キャリアの移動を制限する制限部とを含んでなる微生物キャリア収納装置と、該微生物キャリア収納装置を所定の範囲の空間内に支持して、該微生物キャリアの少なくとも一部分を流体物質に接触させる支持構造部とによって構成する。【選択図】図２
0003107459.tif 000002
【実用新案登録請求の範囲】
【請求項１】
少なくとも一以上の微生物キャリアと該微生物キャリアの移動を制限する制限部とを含んでなる微生物キャリア収納装置と、
該微生物キャリア収納装置を所定の範囲の空間内に支持して、該微生物キャリアの少なくとも一部分を流体物質に接触させる支持構造部とを含み構成されることをしてことを特徴とする流体物質の微生物処理装置。
【請求項２】
前記微生物キャリア収納装置の少なくとも一部分が流体物質内に位置するように構成することを特徴とする請求項１に記載の流体物質の微生物処理装置。
【請求項３】
前記微生物キャリアが多孔性の微生物キャリアであることを特徴とする請求項１に記載の流体物質の微生物処理装置。
【請求項４】
前記支持構造部が固定部と連結部とを含んでなり、該固定部が所定の位置に固定されることを特徴とする請求項１に記載の流体物質の微生物処理装置。
【請求項５】
前記連結部が硬質の物体によってなり、且つ該連結部によって該微生物キャリア収納装置を所定の位置に支持することを特徴とする請求項４に記載の流体物質の微生物処理装置。
【請求項６】
前記連結部が軟性の物体によってなり、且つ該連結部によって該微生物キャリア収納装置を所定の範囲内において可動な状態で支持することを特徴とする請求項４に記載の流体物質の微生物処理装置。
【請求項７】
前記連結部が軟性の物体によってなり、且つ該連結部によって該微生物キャリア収納装置が所定の範囲内において可動な状態になることを特徴とする請求項４に記載の流体物質の微生物処理装置。
【請求項８】
前記微生物キャリア収納装置が擺動装置によって駆動され、擺動するように構成されることを特徴とする請求項１に記載の流体物質の微生物処理装置。
【請求項９】
前記微生物キャリア収納装置が擺動装置によって駆動され、擺動するように構成されることを特徴とする請求項１に記載の流体物質の微生物処理装置。
【請求項１０】
前記支持構造部が固定部と連結部とを含んでなり、該固定部が流動物質を収納する収納体に設けられ、該連結部によって該微生物キャリア収納装置を該固定部に連結することを特徴とする請求項１に記載の流体物質の微生物処理装置。
【請求項１１】
前記微生物キャリア収納装置は流体物質を通過させる通過部を具えることを特徴とする請求項１に記載の流体物質の微生物処理装置。
【請求項１２】
前記微生物キャリア収納装置が、他の微生物キャリア収納装置と連結することを特徴とする請求項１に記載の流体物質の微生物処理装置。
【請求項１３】
前記微生物キャリア収納装置が、該支持構造部に連結する微生物キャリア収納装置であることを特徴とする請求項１に記載の流体物質の微生物処理装置。
【請求項１４】
前記微生物キャリア収納装置が連結の間隔を制限する構造部を介して連結され、且つそれぞれの微生物キャリア収納装置の間の距離が制限されるように構成することを特徴とする請求項１３に記載の流体物質の微生物処理装置。
【請求項１５】
前記微生物キャリア収納装置が連結の間隔を制限する構造部によってそれぞれの微生物キャリア収納装置の間の距離が制限されることを特徴とする請求項１３に記載の流体物質の微生物処理装置。
【請求項１６】
前記支持構造部が固定部と連結部とを含んでなり、該固定部が流体物質を収納する設備の一部に固定され、該連結部によって該微生物キャリア収納装置を連結することを特徴とする請求項１に記載の流体物質の微生物処理装置。
【請求項１７】
前記支持構造部が固定部と連結部とを含んでなり、該固定部が土木工程の設備に関連する構造体の一部に固定され、該連結部によって該微生物キャリア収納装置を連結することを特徴とする請求項１に記載の流体物質の微生物処理装置。
【請求項１８】
前記流動物質が気体であることを特徴とする請求項１に記載の流体物質の微生物処理装置。
【請求項１９】
前記流動物質が液体であることを特徴とする請求項１に記載の流体物質の微生物処理装置。
【考案の詳細な説明】
【技術分野】
【０００１】
この考案は、流体物質の処理装置に関し、特に微生物と、該微生物のキャリアを利用して流体物質を処理する装置に関する。
【背景技術】
【０００２】
従来の微生物を利用した汚水処理の過程において、微生物は、その効果を維持した状態で長期間水中に保持することが難しい。多孔質の微生物キャリアを利用することによって微生物の滞留時間を延長させることができる。但し、施工、使用、保守などが不便であって、経済的効果を具えない。即ち、大量の微生物キャリアを処理する水中に均一に分布させることは極めて難しく、微生物キャリアの位置、もしくは分布方法を変更させようとすれば、技術的にも、経済的にも容易なことではない。例えば、微生物キャリアを処理する水に流し込むか、撒いた場合、微生物キャリアは汚水処理場（もしくは処理池）の底部に堆積するか、もしくは水の流動にともなって流れ、下流に堆積する。このように、微生物キャリアの分布が不均一になると、局部に対する堆積が過度となり、微生物膜は目詰まりを招き、汚水の処理効果が低下する。逆洗浄方式で、微生物膜を除去しても短時間しか降下がなく、根本的な解決にはならない。また、逆洗浄を行うと、ランニングコストが増加する（浄化作業の中断、余剰の人件費、またはコストを必要とする）。よって、部生物キャリアの分布を均一に制御するためには、キャリアの過度の堆積を予防するか、もしくはその排除を容易にする方法を講じる必要があり、これこそ根本的な解決策といえる。
【０００３】
従来の微生物キャリアを水処理に応用する過程においては、そのほとんどが微生物キャリアを固定するか、もしくは活性炭、微生物接触剤などによるキャリアを浮いた状態にする。前者は水流の圧力の反作用によって微生物キャリアの変形、破裂、破損を容易に招き、浄化効果と処理量低下の原因となる。後者はキャリアが浮いた状態で互いにぶつかり、微生物膜が脱落して浄化能力に影響を与える。
【０００４】
同様に、各種の粒子を流体（気体、もしくは液体）の上かに応用する従来の技術における過程においても。ほとんどが粒子を固定するか、流体に浮いた状態にする。これらについても上述と同様の問題が発生する。
【０００５】
図１３、１４に従来の技術による各種の粒子を流体の浄化物質応用した例を開示する（アメリカ合衆国特許第６４２０２９２号図１、図２）。図面によれば、処理する水（もしくはその他液体）４が一箇所に流れ浄化物質を有するセラミックス面１に堆積し、隙間２を通過して結晶粒３に接触する。
【０００６】
図１５に従来の技術による各種の粒子を流体の浄化物質に応用した他の例を開示する（アメリカ合衆国特許第６４２０２９２号、図３）。図面によれば、処理する水（もしくはその他液体）は３つのシリンダ６を通過する。該シリンダ６内には液体を浄化する混合物７を設ける。
【０００７】
【特許文献１】アメリカ合衆国特許第６４２０２９２号公報
【考案の開示】
【考案が解決しようとする課題】
【０００８】
上述するように、微生物を水（もしくはその他流体物質）の処理に応用する作業は、解決が待たれる多くの問題を抱えていて、技術的に改善する余地が多く残っている。如何なる流体物質であろうと、その処理を簡易に、便利にするとともに、設備の変更をすることなく、逆洗浄を行うことなく、経済的効果を高めるという目的を達成するために、業界ではさらに好ましい微生物を水（もしくはその他流体）の処理に応用する技術の開発が望まれている。
【０００９】
そこで、本考案は各種の流体の処理に応用できる微生物を利用した処理方法であって、処理を行う水（もしくは流体物質）内における微生物キャリアの位置、分布を制御して、処理の効果を高め、かつコストを節減できる微生物を利用した流体物質処理装置を提供することを課題とする。
【００１０】
また、この考案は交換、補充、もしくは洗浄が容易で、かつ低コストでこれら作業を行うことのできる流体物質処理用の微生物キャリアを提供することを課題とする。
【００１１】
また、この考案は保守、洗浄が容易で、かつ低コストでこれらを行うことのできる流体物質処理用の流体収納体を提供することを課題とする。
【課題を解決するための手段】
【００１２】
そこで本考案者は、従来の技術に鑑み鋭意研究を重ねた結果、流体物質の微生物処理装置の構造と、その製造方法によって課題を解決できる点に着眼し、係る知見に基づき本考案を完成させた。
以下、この考案について具体的に説明する。
【００１３】
請求項１に記載する流体物質の微生物処理装置は、少なくとも一以上の微生物キャリアと該微生物キャリアの移動を制限する制限部とを含んでなる微生物キャリア収納装置と、
該微生物キャリア収納装置を所定の範囲の空間内に支持して、該微生物キャリアの少なくとも一部分を流体物質に接触させる支持構造部とを含み構成される。
【００１４】
請求項２に記載する流体物質の微生物処理装置は、請求項１における微生物キャリア収納装置の少なくとも一部分が流体物質内に位置するように構成する。
【００１５】
請求項３に記載する流体物質の微生物処理装置は、請求項１における微生物キャリアが多孔性の微生物キャリアである。
【００１６】
請求項４に記載する流体物質の微生物処理装置は、請求項１における支持構造部が、固定部と連結部とを含んでなり、該固定部が所定の位置に固定される。
【００１７】
請求項５に記載する流体物質の微生物処理装置は、請求項４における連結部が硬質の物体によってなり、且つ該連結部によって該微生物キャリア収納装置を所定の位置に支持する。
【００１８】
請求項６に記載する流体物質の微生物処理装置は、請求項４における連結部が軟性の物体によってなり、且つ該連結部によって該微生物キャリア収納装置を所定の範囲内において可動な状態で支持する。
【００１９】
請求項７に記載する流体物質の微生物処理装置は、請求項４における連結部が軟性の物体によってなり、且つ該連結部によって該微生物キャリア収納装置が所定の範囲内において可動な状態になる。
【００２０】
請求項８に記載する流体物質の微生物処理装置は、請求項１における微生物キャリア収納装置が擺動装置によって駆動され、擺動するように構成される。
【００２１】
請求項９に記載する流体物質の微生物処理装置は、請求項１における微生物キャリア収納装置が擺動装置によって駆動され、擺動するように構成される。
【００２２】
請求項１０に記載する流体物質の微生物処理装置は、請求項１における支持構造部が固定部と連結部とを含んでなり、該固定部が流動物質を収納する収納体に設けられ、該連結部によって該微生物キャリア収納装置を該固定部に連結する。
【００２３】
請求項１１に記載の流体物質の微生物処理装置は、請求項１における微生物キャリア収納装置は流体物質を通過させる通過部を具える。
【００２４】
請求項１２に記載する流体物質の微生物処理装置は、請求項１における前記微生物キャリア収納装置が、他の微生物キャリア収納装置と連結する。
【００２５】
請求項１３に記載の流体物質の微生物処理装置は、請求項１における微生物キャリア収納装置が、該支持構造部に連結する微生物キャリア収納装置である。
【００２６】
請求項１４に記載する流体物質の微生物処理装置は、請求項１３における前記微生物キャリア収納装置が連結の間隔を制限する構造部を介して連結され、且つそれぞれの微生物キャリア収納装置の間の距離が制限されるように構成する。
【００２７】
請求項１５に記載する流体物質の微生物処理装置は、請求項１３における微生物キャリア収納装置が連結の間隔を制限する構造部によってそれぞれの微生物キャリア収納装置の間の距離が制限される。
【００２８】
請求項１６に記載する流体物質の微生物処理装置は、請求項１における支持構造部が固定部と連結部とを含んでなり、該固定部が流体物質を収納する設備の一部に固定され、該連結部によって該微生物キャリア収納装置を連結する。
【００２９】
請求項１７に記載する流体物質の微生物処理装置は、請求項１における支持構造部が固定部と連結部とを含んでなり、該固定部が土木工程の設備に関連する構造体の一部に固定され、該連結部によって該微生物キャリア収納装置を連結する。
【００３０】
請求項１８に記載する流体物質の微生物処理装置は、請求項１における流動物質が気体である。
【００３１】
請求項１９に記載する流体物質の微生物処理装置は、請求項１における流動物質が液体である。
【考案の効果】
【００３２】
本考案の流体物質の微生物処理装置は、処理を行う流体物質内における微生物キャリアの位置、分布を制御して、処理の効果を高め、かつコストを節減できるという利点を有する。
【００３３】
また、本考案の微生物キャリアは、交換、補充、もしくは洗浄が容易で、かつ低コストでこれら作業を行うことのできるという利点を有する。
【考案を実施するための最良の形態】
【００３４】
図１、２、３、４、５に、この考案による微生物キャリア収納装置の実施例を開示する。図１、２は微生物キャリア収納装置の側面図であって、図３、４はこの考案における容器を包含する微生物キャリア収納装置の側面図である。図５は微生物キャリア収納装置の平面図である。この考案による微生物キャリア収納装置は、容器１１と、少なくとも１以上の微生物キャリア１５を含んでなり、該容器１１（図３参照）は、複数の線状物１２，１３によって形成される制限部と、複数の隙間１４によって形成される流体通過部とによって構成される。隙間１４は隣接する線状物１２、１３の間に介在する。該微生物キャリア１５は容器１１内に収納され、該容器１１の制限部によって移動が制限される。また、流体通過部を形成することによって流体物質が外部から容器１１内を通過して該微生物キャリア１５に接触する。
【００３５】
上述する微生物キャリア１５は、複数の孔部１６を具えてなり、その形状はブロック状であるか、もしくは顆粒状であってもよい。多数の微生物キャリア１５を収納する場合は、その一部をブロック状に形成し、他の一部を顆粒状にしてもよい。
【００３６】
図１、３に開示するようにこの考案における微生物キャリア収納装置は、容器１１の制限部（線状物１２、１３など図３参照）が、該微生物キャリア１５を取り巻くように構成する。また、図１から明かなように、微生物キャリア収納装置において容器１１の流体通過部（一、もしくは複数の隙間１４によって形成される）は、容器１１の内部と外部との間を流体物質に流動させる作用を有する。該隙間１４は、該制限部の間に介在する（隣接する線状物１２，１３などの間）。
【００３７】
この考案による微生物キャリア収納装置において、容器１１は少なくとも一以上の荷重構造部１７（図３参照ただし、その位置は上端、下端、もしくは側辺のいずれでもよい）をさらに含む。該荷重構造部１７は外部からの力で容器１１の移動を制御するために供するものであって、図３に開示するように貫通孔２２を穿設し、容器１１に外部からの力を施すために供する。このため該荷重構造部１７によって微生物キャリア収納装置を引いたり、吊架したり、推したりすることができる。該荷重構造部１７は、フック状に形成するか（図示しない）、もしくはその他容器１１に外部からの力を施しやすい形状であってもよい。
【００３８】
以上から明かなように、荷重構造部１７は外部からの力で容器１１の位置（即ち、該微生物キャリア収納装置の位置）を制御するために供するものである。ただし、これを支持構造部として容器１１を所定の範囲の空間内（例えば容器１１を処理待ち液体を収納する収納漕の所定の位置）に支持してもよい。仮に荷重構造部１７を支持構造部と兼用することが難しければ容器１１には別途支持構造部１９を設けてもよい（図３参照）。ただしその位置は図示するように下端のみならず上端、もしくは側辺などに設けてもよい。
【００３９】
上述する荷重構造部１７、もしくは支持構造部１９は、接続構造部としての機能を兼ね具えるようにしてもよい。即ち該容器１１を外部物体（例えば容器１１を処理待ち液体を収納する収納漕の壁面、もしくは固定手段など）に接続するか、硬質の物質（該硬質の物質は、好ましくは図６に開示するような長い線状物３２とする）を介して該外部物体（例えば、図６に開示するような容器１１と同等の物体３１）と接続し、容器１１と外部物体との間隔を制限する（複数の微生物キャリア収納装置が密接に連結して堆積されたような状態になったり、外部物体と接近しすぎたりして、微生物キャリア収納装置本来の効果が低下することを防ぐ）。仮に荷重構造部１７か支持構造部１９のいずれもが接続構造部としての作用を兼ね具えることが難しければ、容器１１には別途接続構造部を設けて（例えば容器１１の側辺。図示しない）、容器１１と外部物体とを連結するとともに該容器１１と外部物体との間隔を制限するために提供してもよい。
【００４０】
この考案における微生物キャリア収納装置において、容器１１は開閉制御手段を更に含む。該開閉制御手段は、容器１１に対して少なくとも２種類の状態を提供する。一つは微生物キャリア１５が容器１１から外部に移動できる状態であって、他の一つは微生物キャリア１５が容器１１から外部に移動することを阻止する状態である。例えば図２に開示するように開閉制御手段は錠止構造部２０であって、該錠止構造部２０が開放された状態において、容器１１を上半部と下半部とに分解し、微生物キャリア１５が容器１１から外部に移動するか、もしくはその逆に移動する事ができるようになる。錠止構造部２０が錠止された状態において容器１１の上半部と下半部とが連結し、微生物キャリア１５の移動を制限する。即ち微生物キャリア１５が容器１１外に移動することを阻止する。また、該開閉制御手段は、螺着構造であってもよい。即ち、容器１１の上半部と下半部とが接する部分にそれぞれ螺刻し（上半部のねじ山は図示しない。下半部のねじ山２１を図４に開示する）、両ねじ山を螺着しない状態において容器１１は上半部と下半部とに分解し、微生物キャリア１５が容器１１から外部に移動するか、もしくはその逆に移動する事ができるようになる。両ねじ山を螺着した状態において容器１１の上半部と下半部とが連結し、微生物キャリア１５の移動を制限する。即ち微生物キャリア１５が容器１１外に移動することを阻止する。
【００４１】
上述する開閉制御手段は必ずしも必要なものであるとは限らない。例えば、入口を設けることによって代替とすることができる（容易に想到できるので、図示しない）。該入口は、微生物キャリア１５を容器１１に収納するために供する。ただし、入口には逆流防止手段（例えば複数の軟質材による長条形状の物質を容器１１内に向けて設ける）を設けて微生物キャリア１５が該入口から容器１１外に移動することを防ぐ必要がある。
【００４２】
以上から明かなようにこの考案における微生物キャリア収納装置は、流体通過部を形成することによって容器１１に外部の流体物質が流入し、該微生物キャリア１５の孔部１６に接触する。該流体通過部（隙間１４）の分布が不均一でない限り、容器１１は流体物質を通過させることができる（一方の側面から流入し、他の側面から出る）。
【００４３】
図７にこの考案における微生物キャリア収納装置の他の実施形態を開示する。図面によれば他の実施形態による微生物キャリア収納装置は、少なくとも一以上の微生物キャリア１５と部材７０とを含んでなる。部材７０は支持構造部７１（例えば平板か、スリット部を形成してなる鋼板）と、制限部（例えば複数の線状物７２、７３などによって形成される）と、流体通過部（例えば複数の隙間７４によって形成される。該隙間７４は隣接する線状物７２、７３の間に形成される）とを含んでなる。微生物キャリア１５は、重力が支持構造部７１に荷重し、該支持構造部７１によって支持される。また、微生物キャリア１５の移動は、該制限部によって制限され、該流体通過部を設けることによって流体物質が部材７０内を通過する。即ち、外部から流体物質が部材７０を通過して微生物キャリア１５に接触する。
【００４４】
図７に開示する微生物キャリア収納装置は、更に荷重構造部７９を含む（図８参照）。荷重構造部７９は外部からの力を受ける部分であって、荷重構造部７９を介して外部からの力を部材７０に作用させ、部材７０の位置（即ち、微生物キャリア収納装置の位置）を制御するために提供する。また、荷重構造部７９を支持構造部として、部材７０を所定の範囲の空間内（例えば部材７０を処理待ち液体を収納する収納漕の所定の位置）に支持してもよい。更に仮荷重構造部７９を接続構造部とし、部材７０を外部物体（例えば、処理待ち液体を収納する収納漕の壁面、もしくは固定手段など）に接続するか、硬質の物質（該硬質の物質は、例えば図６に開示するような長い線状物３２とする）を介して少なくとも一以上の外部物体（例えば、図６に開示するような部材７０と同等の物体３１）と接続し、部材７０と外部物体との間隔を制限する。よって複数の微生物キャリア収納装置が密接に連結して堆積されたような状態になったり、外部物体と接近しすぎたりして、微生物キャリア収納装置本来の効果の低下を防ぐことができる）。
【００４５】
以上から明かなように、上述するいずれの実施の形態であろうと、該流体通過部（図１に開示する隙間１４か、図７に開示する隙間７４）の分布が不均一でない限り、微生物キャリア収納装置は流体物質を通過させることができる（別途、それぞれの微生物キャリア１５は複数の孔部を有し、またそれぞれの微生物キャリア１５との間に隙間が形成される）。
【００４６】
この考案における微生物キャリア収納装置は、いかなる実施の形態であろうと、微生物キャリア１５が隙間（例えば図１に開示する隙間１４、図７に開示する隙間７４）を通過しないことを原則として、その大きさ、形状、もしくは構造を設計する。
【００４７】
図９、１０，１１，１２に、この考案による流体物質処理装置のそれぞれの実施例を開示する。図９には処理を行う流体（もしくは液体）物質を内部に収納する（流体か液体物質かは図９に標示しない）流体物質収納体８を開示する。該流体物質収納体８内は複数の微生物キャリア収納装置９を収納する。微生物キャリア収納装置９は支持手段（図示しない）で流体物質収納体８内の所定の範囲の空間に支持される。また、微生物キャリア収納装置９は、包含する微生物キャリア（図１，２に開示する微生物キャリア１５）の全部、もしくは一部が流体物質収納体８内に収納される流体物質に接触する。流体物質収納体８は土木工程の設備に係る構造体であるか、もしくはその他流体物質を収納するのに適した設備の構造体であってもよく、また微生物キャリア収納装置９を支持する該支持手段は、固定式であるか、もしくは可動式であってもよい。即ち流体物質収納体８内に固定点を設け、該固定式の支持手段を介して微生物キャリア収納装置９を流動物質収納体８内に設けるか、もしくは可動式の支持手段を介し、微生物キャリア収納装置９を流動物質収納体８内の所定の範囲内において可動な状態で設ける。
【００４８】
図１０に開示する実施形態は、図９に開示する形態に相似したものである。図１０においては支持手段（固定部８１と連結部８２とを含む）で複数の微生物キャリア収納装置９を一列に連結する。該支持手段は固定式か、もしくは可動式であってもよく、流体物質収納体８、もしくは床（図示しない）、もしくはその他微生物キャリア収納装置９を固定するのに適した物体に連結する。微生物キャリア収納装置９を一列に連結した組み合わせは、該支持手段によって所定の位置に固定するか、もしくは所定の範囲の空間内において可動な状態に設けてもよい。微生物キャリア収納装置９に含まれる微生物キャリア（図１，２に図番１５で開示する。）の全部、もしくは少なくとも一部が流体物質収納体８内の流体物質（流体物質は図示しない）に接触する。固定部８１は流体物質収納体８の一部（例えば流体物資収納体８自身の上蓋か、上面の部分など）であるか、もしくは土木工程設備に関連する構造体の一部であってもよい。
【００４９】
図１１に開示する実施形態は、図１０に開示する形態に相似したものである。図１１においては流体物質収納体８は、処理を行う流体物質（もしくは液体）を内部に収納する（流体、もしくは液体物質は図示しない）。複数の微生物キャリア収納装置９は一列にして支持手段（図示しない）で連結する。該支持手段は固定式か、もしくは可動式であってもよく、該支持手段によって複数の微生物キャリア収納装置９を一列に連結して所定の位置に固定するか、もしくは所定の範囲の空間内において可動な状態に設けてもよい。微生物キャリア収納装置９に含まれる微生物キャリア（図１，２に図番１５で開示する。）の全部、もしくは少なくとも一部が流体物質収納体８内の流体物質（流体物質は図示しない）に接触する。
【００５０】
図１２はこの考案による流体物質処理装置の他の実施例の側面図と平面図を開示したものである。図面によれば、支持手段（固定部８１と連結部８２とを含む）で複数の微生物キャリア収納装置９を一列に連結する。該支持手段は固定式か、もしくは可動式であってもよく、流体物質収納体８、もしくは床（図示しない）、もしくはその他微生物キャリア収納装置９を固定するのに適した物体に連結する。複数の微生物キャリア収納装置９を一列に連結した組み合わせは、該支持手段によって所定の位置に固定する（例えば連結部８２を硬質の物質で形成する場合）か、もしくは所定の範囲の空間内において可動な状態に設けてもよい（例えば連結部８２を軟質の物質で形成する場合）。微生物キャリア収納装置９に含まれる微生物キャリア（図１，２に図番１５で開示する。）の全部、もしくは少なくとも一部が流体物質収納体８内の流体物質（流体物質は図示しない）に接触する。一列に連結する微生物キャリア収納装置９は、接続部材８３で連結する。該接続部材８３は、材質が硬質か、硬質に近い物質によって形成される場合、隣接する微生物キャリア収納装置９間の距離を制限し、互いに接近しすぎるか、離れすぎることを防ぐ作用を兼具える。即ち、接続部材８３は間隔を保つ構造部の作用をも兼具える。但しそれぞれの微生物キャリア収納装置９の互いの距離を制限するためには、接続部材８３のように隣接する微生物キャリア収納装置９を連結しなければならないとは限らない。
【００５１】
図１２における固定部８１は、駆動手段８４の駆動によって移動する。例えば、図示する矢印８７の方向に回転したり、矢印８９，８８の方向に従って上下に振動する運動をしたりするか、もしくはその他図示しない平面的な運動、もしくは立体的な運動などを行う。係る運動は微生物キャリア収納装置９を擺動、もしくはその他運動をさせることを目的とする。駆動手段８４は動力発生装置８５（例えばモータ）、伝動手段８６、動力方向転換手段９０などを含んでなり、また、駆動手段８４は固定部８１を擺動させるものであってもよい。よって擺動装置と見なしてもよい。
【００５２】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００５３】
【図１】この考案における微生物キャリア収納装置の微生物キャリアを収納した状態を示した説明図である。
【図２】図１に開示する微生物キャリア収納装置と開閉制御手段との関係を示した説明図である。
【図３】この考案における微生物キャリア収納装置の側面図である。
【図４】この考案における微生物キャリア収納装置と開閉制御手段との関係を示した説明図である。
【図５】この考案における微生物キャリア収納装置の微生物キャリアを収納した状態を示した平面説明図である。
【図６】この考案における微生物キャリア収納装置を連結した状態を示した説明図である。
【図７】他の実施形態による微生物キャリア収納装置の微生物キャリアを収納した状態を示した説明図である。
【図８】図７に開示する微生物キャリア収納装置と開閉制御手段との関係を示した説明図である。
【図９】この考案による流体物質の微生物処理装置の実施形態を示した説明図である。
【図１０】この考案による流体物質の微生物処理装置の他の実施形態を示した説明図である。
【図１１】この考案による流体物質の微生物処理装置のその他実施形態を示した説明図である。
【図１２】この考案による流体物質微生物処理装置の構成を示した説明図である。
【図１３】従来の流体物質微生物処理装置の構成を示した説明図である。
【図１４】従来の他の流体物質微生物処理装置の構成を示した説明図である。
【図１５】従来のその他流体物質微生物処理装置の構成を示した説明図である。
【符号の説明】
【００５４】
１                    セラミックス面
１１                容器
１２、１３    線状物
１４                隙間
１５                微生物キャリア
１６                孔部
１７                荷重構造部
１９                支持構造部
２                    隙間
２０                錠止構造部
２２                貫通孔
３                    結晶粒
３１                物体
３２                長い線状物
４                    水
６                    シリンダ
７                    混合物
７０                部材
７１                支持構造部
７２、７３    線状物
７４                隙間
７９                荷重構造部
８                    流体物質収納体
８１                固定部
８２                連結部
８３                接続部材
８４                駆動手段
８５                動力発生装置
８６                伝動手段
８７、８８、８９      矢印
９                    微生物キャリア収納装置
９０                動力方向転換手段
【図１】
0003107459.tif 000003
【図２】
0003107459.tif 000004
【図３】
0003107459.tif 000005
【図４】
0003107459.tif 000006
【図５】
0003107459.tif 000007
【図６】
0003107459.tif 000008
【図７】
0003107459.tif 000009
【図８】
0003107459.tif 000010
【図９】
0003107459.tif 000011
【図１０】
0003107459.tif 000012
【図１１】
0003107459.tif 000013
【図１２】
0003107459.tif 000014
【図１３】
0003107459.tif 000015
【図１４】
0003107459.tif 000016
【図１５】
0003107459.tif 000017